(57)【要約】【課題】  画質を劣化させることなく擬似輪郭ノイズを軽減することができる表示装置および表示方法を提供する。【解決手段】  ＰＤＰの各領域の上下左右に隣接する第１〜第４の画素Ｐ１〜Ｐ４におけるｎ〜ｍ（ｍおよびｎは全サブフィールド数より小さい正の整数であり、ｍ＞ｎである）番目のサブフィールドの発光および非発光の組み合わせパターンがそれぞれ異なる。また、ＰＤＰの各領域における上下左右に隣接する第１〜第４の画素Ｐ１〜Ｐ４のうち、一方の対角位置に配置された第１の画素Ｐ１および第２の画素Ｐ２によりそれぞれ表示される階調の値は、第１〜第４の画素Ｐ１〜Ｐ４により表示される階調の値の平均値よりも低く、他方の対角位置に配置された第３の画素Ｐ３および第４の画素Ｐ４によりそれぞれ表示される階調の値は、第１〜第４の画素Ｐ１〜Ｐ４により表示される階調の値の平均値よりも高い。【選択図】        図３
2004233980.tif 000002
【特許請求の範囲】
【請求項１】
階調レベルを有する映像信号に基づいてサブフィールド法により階調表示を行う表示装置であって、
上下左右に隣接する第１〜第４の画素を各々含む複数の領域から構成される表示パネルと、
前記第１〜第４の画素に対応する複数の第１〜第４の発光パターンをそれぞれ含む第１〜第４のテーブルを記憶するとともに、映像信号の階調レベルに基づいて前記第１〜第４のテーブルから各領域の前記第１〜第４の画素にそれぞれ対応する第１〜第４の発光パターンを選択し、選択された第１〜第４の発光パターンに基づいてサブフィールドごとに前記表示パネルの各領域の第１〜第４の画素を発光または非発光させることにより階調表示を行う階調表示部とを備え、
前記複数のサブフィールドのうち所定のサブフィールドにおける発光および非発光の組み合わせパターンが前記第１〜第４の発光パターン間で互いに異なり、
各領域において、前記第１および第２の画素は一方の対角位置に配置され、前記第３および第４の画素は他方の対角位置に配置され、
各階調レベルにおいて、第１および第２の発光パターンによりそれぞれ表現される階調の値は前記第１〜第４の発光パターンにより表現される階調の平均値よりも低く、第３および第４の発光パターンによりそれぞれ表現される階調の値は前記平均値よりも高いことを特徴とする表示装置。
【請求項２】
前記複数のサブフィールドは異なる重み量を有し、
前記所定のサブフィールドは、最大の重み量を有するサブフィールドから最小の重み量を有するサブフィールドまで重み量が減少する順において画素が発光するサブフィールドのうち最大の重み量を有するサブフィールドを先頭として所定数のサブフィールドを含むことを特徴とする請求項１記載の表示装置。
【請求項３】
前記第１〜第４の発光パターンのうち２以上の発光パターンにおいて、隣接する階調レベル間で前記所定のサブフィールドにおける前記組み合わせパターンがそれぞれ同一であることを特徴とする請求項１または２記載の表示装置。
【請求項４】
前記表示パネルに表示される画像における擬似輪郭ノイズの程度を検出する検出部をさらに備え、
前記階調表示部は、前記第１〜第４の画素に対応する複数の第５〜第８の発光パターンをそれぞれ含む第５〜第８のテーブルをさらに記憶するとともに、前記検出部による検出結果に基づいて前記第１〜第４のテーブルの組および前記第５〜第８のテーブルの組のうち一方の組を選択し、前記第５〜第８のテーブルの組が選択された場合に映像信号の階調レベルに基づいて前記選択された前記第５〜第８のテーブルから各領域の前記第１〜第４の画素にそれぞれ対応する第５〜第８の発光パターンを選択し、選択された第５〜第８の発光パターンに基づいてサブフィールドごとに前記表示パネルの各領域の第１〜第４の画素を発光または非発光させることにより階調表示を行い、
前記所定のサブフィールドにおける発光および非発光の組み合わせパターンが前記第５〜第８の発光パターンのうち一部が互いに同一であり、
各階調レベルにおいて、第５および第６の発光パターンによりそれぞれ表現される階調の値は前記第５〜第８の発光パターンにより表現される階調の平均値よりも高く、第７および第８の発光パターンによりそれぞれ表現される階調の値は前記平均値よりも低いことを特徴とする請求項１〜３のいずれかに記載の表示装置。
【請求項５】
前記階調表示部は、
各階調レベルと前記第１〜第４の発光パターンによりそれぞれ表現される階調の値との差を第１〜第４のディザ値として記憶するとともに、映像信号の階調レベルに対応する第１〜第４のディザ値を出力するディザ値発生器と、
映像信号の階調レベルに前記ディザ値発生器により発生された第１〜第４のディザ値をそれぞれ加算する係数加算器と、
前記第１〜第４のテーブルを記憶するとともに、前記係数加算器の加算結果に基づいて前記第１〜第４のテーブルから第１〜第４の発光パターンを選択し、選択された第１〜第４の発光パターンに基づいてサブフィールドごとに前記表示パネルの各領域の第１〜第４の画素を発光または非発光させる駆動部とを含むことを特徴とする請求項１〜４のいずれかに記載の表示装置。
【請求項６】
映像信号の階調レベルと前記第１〜第４の発光パターンによりそれぞれ表現される階調の平均値とが異なる場合に、映像信号の階調レベルと前記第１〜第４の発光パターンによりそれぞれ表現される階調の平均値との誤差を空間的および／または時間的に映像信号に拡散する拡散装置をさらに備えたことを特徴とする請求項１〜５のいずれかに記載の表示装置。
【請求項７】
階調レベルを有する映像信号に基づいてサブフィールド法により表示パネルにおいて階調表示を行う表示方法であって、
前記表示パネルは、上下左右に隣接する第１〜第４の画素を各々含む複数の領域から構成され、各領域において、前記第１および第２の画素は一方の対角位置に配置され、前記第３および第４の画素は他方の対角位置に配置され、
前記第１〜第４の画素に対応する複数の第１〜第４の発光パターンをそれぞれ含む第１〜第４のテーブルを記憶するステップと、
映像信号の階調レベルに基づいて前記第１〜第４のテーブルから各領域の前記第１〜第４の画素にそれぞれ対応する第１〜第４の発光パターンを選択するステップと、
選択された第１〜第４の発光パターンに基づいてサブフィールドごとに前記表示パネルの各領域の第１〜第４の画素を発光または非発光させることにより階調表示を行うステップとを備え、
前記複数のサブフィールドのうち所定のサブフィールドにおける発光および非発光の組み合わせパターンが前記第１〜第４の発光パターン間で互いに異なり、
各階調レベルにおいて、第１および第２の発光パターンによりそれぞれ表現される階調の値は前記第１〜第４の発光パターンにより表現される階調の平均値よりも高く、第３および第４の発光パターンによりそれぞれ表現される階調の値は前記平均値よりも低いことを特徴とする表示方法。
【請求項８】
前記複数のサブフィールドは異なる重み量を有し、
前記所定のサブフィールドは、最大の重み量を有するサブフィールドから最小の重み量を有するサブフィールドまで重み量が減少する順において画素が発光するサブフィールドのうち最大の重み量を有するサブフィールドを先頭として所定数のサブフィールドを含むことを特徴とする請求項７記載の表示方法。
【請求項９】
前記第１〜第４の発光パターンのうち２以上の発光パターンにおいて、隣接する階調レベル間で前記所定のサブフィールドにおける前記組み合わせパターンがそれぞれ同一であることを特徴とする請求項７または８記載の表示方法。
【請求項１０】
前記表示パネルに表示される画像における擬似輪郭ノイズの程度を検出するステップと、
前記第１〜第４の画素に対応する複数の第５〜第８の発光パターンをそれぞれ含む第５〜第８のテーブルをさらに記憶するステップと、
擬似輪郭ノイズの程度の検出結果に基づいて前記第１〜第４のテーブルの組および前記第５〜第８のテーブルの組のうち一方の組を選択するステップと、
前記第５〜第８のテーブルの組が選択された場合に映像信号の階調レベルに基づいて前記選択された前記第５〜第８のテーブルから各領域の前記第１〜第４の画素にそれぞれ対応する第５〜第８の発光パターンを選択するステップと、
選択された第５〜第８の発光パターンに基づいてサブフィールドごとに前記表示パネルの各領域の第１〜第４の画素を発光または非発光させることにより階調表示を行うステップとをさらに備え、
前記所定のサブフィールドにおける発光および非発光の組み合わせパターンが前記第５〜第８の発光パターンのうち一部が互いに同一であり、
各階調レベルにおいて、第５および第６の発光パターンによりそれぞれ表現される階調の値は前記第５〜第８の発光パターンにより表現される階調の平均値よりも低く、第７および第８の発光パターンによりそれぞれ表現される階調の値は前記平均値よりも高いことを特徴とする請求項７〜９のいずれかに記載の表示方法。
【請求項１１】
前記階調表示を行うステップは、各階調レベルと前記第１〜第４の発光パターンによりそれぞれ表現される階調の値との差を第１〜第４のディザ値として記憶するステップと、
映像信号の階調レベルに対応する第１〜第４のディザ値を出力するステップと、
映像信号の階調レベルに発生された第１〜第４のディザ値をそれぞれ加算するステップと、
前記第１〜第４のテーブルを記憶するステップと、
加算結果に基づいて前記第１〜第４のテーブルから第１〜第４の発光パターンを選択するステップと、
選択された第１〜第４の発光パターンに基づいてサブフィールドごとに前記表示パネルの各領域の第１〜第４の画素を発光または非発光させるステップとを含むことを特徴とする請求項７〜１０のいずれかに記載の表示方法。
【請求項１２】
映像信号の階調レベルと前記第１〜第４の発光パターンによりそれぞれ表現される階調の平均値とが異なる場合に、映像信号の階調レベルと前記第１〜第４の発光パターンによりそれぞれ表現される階調の平均値との誤差を空間的および／または時間的に映像信号に拡散するステップをさらに備えたことを特徴とする請求項７〜１１のいずれかに記載の表示方法。
【発明の詳細な説明】
【技術分野】
【０００１】
本発明は、サブフィールド法により階調表示を行う表示装置および表示方法に関する。
【背景技術】
【０００２】
自発光画像表示器としてのプラズマディスプレイパネルを用いたプラズマディスプレイ装置は、薄型化および大画面化が可能であるという利点を有する。このプラズマディスプレイ装置では、画素を構成する放電セルの放電の際の発光を利用することにより画像を表示している。また、プラズマディスプレイパネルは二値的に発光を行うため、それぞれ重み付けられた複数の二値画像を時間的に重ねることにより中間調を表示するサブフィールド法が用いられる。
【０００３】
上記サブフィールド法では、１フィールドが複数のサブフィールドに時間分割されており、各サブフィールドはそれぞれ重み付けがされている。各サブフィールドの重み量は、各サブフィールドの発光量に対応する。例えば、発光回数が重み量として用いられ、各サブフィールドの重み量の合計量が映像信号の輝度すなわち階調レベルに対応する。
【０００４】
上記サブフィールド法では、複数のサブフィールドの発光順が固定されているため、発光するサブフィールドを見る人の視線が複数の画素上を移動していくことにより、画素毎に異なるサブフィールドを見ることになる。その結果、見る人は、表現されるべき階調レベルと大幅に異なる階調レベルを認識してしまう。特に、周辺の画素が連続性を持っている場合、あたかも階調レベルが失われたような縞状の偽輪郭線が視認される。この偽輪郭線により表示品質が著しく損なわれることが知られている。動画の場合に限り現れる上記の偽輪郭線を擬似輪郭ノイズという（「パルス変動幅変調動画表示に見られる擬似輪郭ノイズ」：テレビジョン学会技術報告、Ｖｏ１．１９、Ｎｏ．２、ＩＤＹ９５−２１、ｐｐ．６１−６６）。
【０００５】
図１１は人間の視線が異なる画素上を移動するときに視認される擬似輪郭ノイズを説明するための模式図である。
【０００６】
図１１において、白丸は発光サブフィールド、黒丸は非発光サブフィールドを示し、複数のサブフィールドを重み量の小さい順にＳＦ１〜ＳＦ１０とする。また、図１１に示す列Ａ，Ｂ，Ｃ，Ｄは水平方向の画素の列番号を示し、行１は垂直方向の画素の行番号を示す。
【０００７】
図１１において、人間の視線が列Ａ行１の位置または列Ｂ行１の位置から移動しない場合においては、人間の目は列Ａ行１に配置された画素のサブフィールドＳＦ１〜ＳＦ１０または列Ｂ行１に配置された画素のサブフィールドＳＦ１〜ＳＦ１０をそれぞれ認識する。この場合、画素の発光パターンはそれぞれ「１１０１１１０１１１」および「０１１１０１１１１１」となり、人間の目により認識される階調の値はそれぞれ「９５５」および「１００６」となる。このように、本来、列Ａ行１に配置された画素の階調の値は、列Ｂ行１に配置された画素の階調の値よりも低く認識される。
【０００８】
図１１に実線矢印で示すように、人間の視線Ｉ１が列Ａ行１に配置された画素から列Ｃ行１に配置された画素に移動するときに、人間の目は列Ａ行１に配置された画素のサブフィールドＳＦ１〜ＳＦ３、列Ｂ行１に配置された画素のサブフィールドＳＦ４〜ＳＦ８および列Ｃ行１に配置された画素のサブフィールドＳＦ９，ＳＦ１０を順に認識する。この場合、発光パターンは「１１０１０１１１１１」となり、人間の目により認識される階調の値は「１００３」となる。
【０００９】
同様に、図１１に点線の矢印で示すように、人間の視線Ｉ２が列Ｂ行１に配置された画素から列Ｄ行１に配置された画素に移動するときに、人間の目は列Ｂ行１に配置された画素のサブフィールドＳＦ１〜ＳＦ３、列Ｃ行１に配置された画素のサブフィールドＳＦ４〜ＳＦ８および列Ｄ行１に配置された画素のサブフィールドＳＦ９，ＳＦ１０を順に認識する。この場合、発光パターンは「０１１１１１０１１１」となり、人間の目により認識される階調の値は「９５６」となる。
【００１０】
このように、視線Ｉ１の移動により本来「９５５」と表示されるべき階調の値が「１００３」と高く認識され、視線Ｉ２の移動により本来「１００６」と表示されるべき階調の値が「９５６」と低く認識される。このようにして、視線の移動により行１において隣接する画素の階調の値の関係が逆転する。このような画素の階調の値の変化が擬似輪郭ノイズとして認識される。
【００１１】
擬似輪郭ノイズの軽減方法としては、擬似輪郭ノイズが発生しにくい階調レベルとして発光サブフィールドが連続して存在する階調レベルを選択し、選択された階調レベルのみを表示に使用する方法がある。この場合、選択された階調レベル以外の階調レベルについては、この階調レベルを上下にはさむ擬似輪郭ノイズが発生しにくい２つの階調レベルを選択し、その２つの階調レベルをフィールドごとに交互に表示することにより表現している（例えば、特許文献１参照）。
【００１２】
また、擬似輪郭ノイズの他の軽減方法として、サブフィールド数を減少させて擬似輪郭ノイズの発生を軽減する方法がある。この場合、サブフィールド数を減少させることによって表現できない階調レベルを表現するために、上下左右に互いに隣接する４画素を１組とし、この１組の各画素に対応した画素データの各々に、互いに異なる係数値からなる４つのディザ係数をそれぞれ割り当てて加算することにより、上記の表現できない階調レベルを面積階調として表現している。さらに、フィールドごとに加算するディザ係数を変更することにより、ディザパターンによるノイズを軽減している（例えば、特許文献２参照）。
【特許文献１】特開２０００−２７６１００号公報
【特許文献２】特開平１０−９８６６３号公報
【発明の開示】
【発明が解決しようとする課題】
【００１３】
しかしながら、上記の擬似輪郭ノイズの軽減方法においては、表現できる階調レベルの数を減少させることによる画質劣化が発生する。
【００１４】
本発明の目的は、画質を劣化させることなく擬似輪郭ノイズを軽減することができる表示装置および表示方法を提供することである。
【００１５】
本発明の他の目的は、擬似輪郭ノイズの発生度合いに基づいて擬似輪郭ノイズを効率的に軽減することができる表示装置および表示方法を提供することである。
【課題を解決するための手段】
【００１６】
本発明に係る表示装置は、階調レベルを有する映像信号に基づいてサブフィールド法により階調表示を行う表示装置であって、上下左右に隣接する第１〜第４の画素を各々含む複数の領域から構成される表示パネルと、第１〜第４の画素に対応する複数の第１〜第４の発光パターンをそれぞれ含む第１〜第４のテーブルを記憶するとともに、映像信号の階調レベルに基づいて第１〜第４のテーブルから各領域の第１〜第４の画素にそれぞれ対応する第１〜第４の発光パターンを選択し、選択された第１〜第４の発光パターンに基づいてサブフィールドごとに表示パネルの各領域の第１〜第４の画素を発光または非発光させることにより階調表示を行う階調表示部とを備え、複数のサブフィールドのうち所定のサブフィールドにおける発光および非発光の組み合わせパターンが第１〜第４の発光パターン間で互いに異なり、各領域において、第１および第２の画素は一方の対角位置に配置され、第３および第４の画素は他方の対角位置に配置され、各階調レベルにおいて、第１および第２の発光パターンによりそれぞれ表現される階調の値は第１〜第４の発光パターンにより表現される階調の平均値よりも低く、第３および第４の発光パターンによりそれぞれ表現される階調の値は平均値よりも高いものである。
【００１７】
本発明に係る表示装置において、表示パネルは、上下左右に隣接する第１〜第４の画素を各々含む複数の領域から構成される。各領域において、第１および第２の画素は一方の対角位置に配置され、第３および第４の画素は他方の対角位置に配置される。
【００１８】
また、第１〜第４の画素に対応する複数の第１〜第４の発光パターンをそれぞれ含む第１〜第４のテーブルが記憶される。映像信号の階調レベルに基づいて第１〜第４のテーブルから各領域の前記第１〜第４の画素にそれぞれ対応する第１〜第４の発光パターンが選択され、それぞれ選択された複数の第１〜第４の発光パターンに基づいてサブフィールドごとに前記表示パネルの各領域の第１〜第４の画素が発光または非発光される。これにより、階調表示が行われる。
【００１９】
この場合、複数のサブフィールドのうち所定のサブフィールドにおける発光および非発光の組み合わせパターンが第１〜第４の発光パターン間で互いに異なることにより、第１〜第４の発光パターンに基づいて表現される第１〜第４の画素の階調の値が異なる。各領域の階調は、第１〜第４の画素の階調の値の平均値により表現される。
【００２０】
特に、所定のサブフィールドとして擬似輪郭ノイズが生じにくいサブフィールドを用いることにより、擬似輪郭ノイズを抑制することができる。
【００２１】
視線がどの方向に移動した場合でも、第１〜第４の画素の階調の値の変化が互いに打ち消される。その結果、認識される画素の値の変化が擬似輪郭ノイズとして認識されない。
【００２２】
これらの結果、画質を劣化させることなく擬似輪郭ノイズを軽減することができる。
【００２３】
複数のサブフィールドは異なる重み量を有し、所定のサブフィールドは、最大の重み量を有するサブフィールドから最小の重み量を有するサブフィールドまで重み量が減少する順において画素が発光するサブフィールドのうち最大の重み量を有するサブフィールドを先頭として所定数のサブフィールドを含んでもよい。
【００２４】
この場合、所定のサブフィールドとして、表現される階調の値に最も影響を与えるサブフィールドが用いられるので、擬似輪郭ノイズの軽減の効果が増大する。また、所定のサブフィールドが擬似輪郭ノイズが発生しやすい重み量の大きなサブフィールドに限定して設定されるので、設計工数が削減される。
【００２５】
第１〜第４の発光パターンのうち２以上の発光パターンにおいて、隣接する階調レベル間で所定のサブフィールドにおける組み合わせパターンがそれぞれ同一であってもよい。
【００２６】
この場合、隣接する階調レベル間で所定のサブフィールドにおける組み合わせパターンがそれぞれ同一であることにより擬似輪郭ノイズおよびディザパターンによるノイズを軽減することが可能となる。
【００２７】
表示装置は、表示パネルに表示される画像における擬似輪郭ノイズの程度を検出する検出部をさらに備え、階調表示部は、第１〜第４の画素に対応する複数の第５〜第８の発光パターンをそれぞれ含む第５〜第８のテーブルをさらに記憶するとともに、検出部による検出結果に基づいて第１〜第４のテーブルの組および第５〜第８のテーブルの組のうち一方の組を選択し、第５〜第８のテーブルの組が選択された場合に映像信号の階調レベルに基づいて選択された第５〜第８のテーブルから各領域の第１〜第４の画素にそれぞれ対応する第５〜第８の発光パターンを選択し、選択された第５〜第８の発光パターンに基づいてサブフィールドごとに表示パネルの各領域の第１〜第４の画素を発光または非発光させることにより階調表示を行い、所定のサブフィールドにおける発光および非発光の組み合わせパターンが第５〜第８の発光パターンのうち一部が互いに同一であり、各階調レベルにおいて、第５および第６の発光パターンによりそれぞれ表現される階調の値は第５〜第８の発光パターンにより表現される階調の平均値よりも高く、第７および第８の発光パターンによりそれぞれ表現される階調の値は平均値よりも低くてもよい。
【００２８】
この場合、表示パネルに表示される画像における擬似輪郭ノイズの程度が検出される。
【００２９】
また、第１〜第４の画素に対応する複数の第５〜第８の発光パターンをそれぞれ含む第５〜第８のテーブルがさらに記憶される。検出結果に基づいて第１〜第４のテーブルの組および第５〜第８のテーブルの組のうち一方の組が選択される。第５〜第８のテーブルの組が選択された場合に映像信号の階調レベルに基づいて選択された第５〜第８のテーブルから各領域の第１〜第４の画素にそれぞれ対応する第５〜第８の発光パターンが選択される。選択された第５〜第８の発光パターンに基づいてサブフィールドごとに表示パネルの各領域の第１〜第４の画素が発光または非発光される。それにより、階調表示が行われる。
【００３０】
各領域の階調は、第１〜第４の画素の階調の値の平均値により表現される。第１〜第４の発光パターンを用いた場合と同様に、各階調レベルにおいて、第５および第６の発光パターンによりそれぞれ表現される階調の値は第５〜第８の発光パターンにより表現される階調の平均値よりも低く、第７および第８の発光パターンによりそれぞれ表現される階調の値は平均値よりも高い。それにより、擬似輪郭ノイズが打ち消される。
【００３１】
特に、所定のサブフィールドにおける発光および非発光の組み合わせパターンが第５〜第８の発光パターンのうち一部で互いに同一である。それにより、擬似輪郭ノイズの軽減の効果は、第１〜第４の発光パターンを用いた場合に比べて小さいが、ディザパターンによるノイズを軽減することが可能となる。
【００３２】
擬似輪郭ノイズの程度に応じて第１〜第４の発光パターンまたは第８の発光パターンを選択的に用いることにより、ディザパターンによるノイズを最小限に抑制しかつ擬似輪郭ノイズを軽減することができる。
【００３３】
階調表示部は、各階調レベルと前記第１〜第４の発光パターンによりそれぞれ表現される階調の値との差を第１〜第４のディザ値として記憶するとともに、映像信号の階調レベルに対応する第１〜第４のディザ値を出力するディザ値発生器と、映像信号の階調レベルにディザ値発生器により発生された第１〜第４のディザ値をそれぞれ加算する係数加算器と、第１〜第４のテーブルを記憶するとともに、係数加算器の加算結果に基づいて第１〜第４のテーブルから第１〜第４の発光パターンを選択し、選択された第１〜第４の発光パターンに基づいてサブフィールドごとに表示パネルの各領域の第１〜第４の画素を発光または非発光させる駆動部とを含んでもよい。
【００３４】
この場合、各階調レベルと第１〜第４の発光パターンによりそれぞれ表現される階調の値との差が第１〜第４のディザ値として記憶されるとともに、映像信号の階調レベルに対応する第１〜第４のディザ値が出力される。映像信号の階調レベルに第１〜第４のディザ値がそれぞれ加算される。第１〜第４のテーブルが記憶されるとともに、加算結果に基づいて第１〜第４のテーブルから第１〜第４の発光パターンが選択される。選択された第１〜第４の発光パターンに基づいてサブフィールドごとに表示パネルの各領域の第１〜第４の画素が発光または非発光される。
【００３５】
このように、第１〜第４のディザ値を用いて階調表示が行われるとともに、擬似輪郭ノイズが軽減される。
【００３６】
表示装置は、映像信号の階調レベルと第１〜第４の発光パターンによりそれぞれ表現される階調の平均値とが異なる場合に、映像信号の階調レベルと第１〜第４の発光パターンによりそれぞれ表現される階調の平均値との誤差を空間的および／または時間的に映像信号に拡散する拡散装置をさらに備えてもよい。
【００３７】
この場合、映像信号の階調レベルと第１〜第４の発光パターンによりそれぞれ表現される階調の平均値とが異なる場合に、映像信号の階調レベルと第１〜第４の発光パターンによりそれぞれ表現される階調の平均値との誤差が空間的および／または時間的に映像信号に拡散される。それにより、映像信号の階調レベルに対応する階調の値を表現することが可能となる。
【００３８】
本発明に係る表示方法は、階調レベルを有する映像信号に基づいてサブフィールド法により表示パネルにおいて階調表示を行う表示方法であって、表示パネルは、上下左右に隣接する第１〜第４の画素を各々含む複数の領域から構成され、各領域において、第１および第２の画素は一方の対角位置に配置され、第３および第４の画素は他方の対角位置に配置され、第１〜第４の画素に対応する複数の第１〜第４の発光パターンをそれぞれ含む第１〜第４のテーブルを記憶するステップと、映像信号の階調レベルに基づいて第１〜第４のテーブルから各領域の第１〜第４の画素にそれぞれ対応する第１〜第４の発光パターンを選択ステップと、選択された第１〜第４の発光パターンに基づいてサブフィールドごとに表示パネルの各領域の第１〜第４の画素を発光または非発光させることにより階調表示を行うステップとを備え、複数のサブフィールドのうち所定のサブフィールドにおける発光および非発光の組み合わせパターンが第１〜第４の発光パターン間で互いに異なり、各階調レベルにおいて、第１および第２の発光パターンによりそれぞれ表現される階調の値は第１〜第４の発光パターンにより表現される階調の平均値よりも低く、第３および第４の発光パターンによりそれぞれ表現される階調の値は平均値よりも高いものである。
【００３９】
本発明に係る表示方法においては、表示パネルは、上下左右に隣接する第１〜第４の画素を各々含む複数の領域から構成される。各領域において、第１および第２の画素は一方の対角位置に配置され、第３および第４の画素は他方の対角位置に配置される。
【００４０】
また、第１〜第４の画素に対応する複数の第１〜第４の発光パターンをそれぞれ含む第１〜第４のテーブルが記憶される。映像信号の階調レベルに基づいて第１〜第４のテーブルから各領域の前記第１〜第４の画素にそれぞれ対応する第１〜第４の発光パターンが選択され、それぞれ選択された複数の第１〜第４の発光パターンに基づいてサブフィールドごとに前記表示パネルの各領域の第１〜第４の画素が発光または非発光される。これにより、階調表示が行われる。
【００４１】
この場合、複数のサブフィールドのうち所定のサブフィールドにおける発光および非発光の組み合わせパターンが第１〜第４の発光パターン間で互いに異なることにより、第１〜第４の発光パターンに基づいて表現される第１〜第４の画素の階調の値が異なる。各領域の階調は、第１〜第４の画素の階調の値の平均値により表現される。
【００４２】
特に、所定のサブフィールドとして擬似輪郭ノイズが生じにくいサブフィールドを用いることにより、擬似輪郭ノイズを抑制することができる。
【００４３】
視線がどの方向に移動した場合でも、第１〜第４の画素の階調の値の変化が互いに打ち消される。その結果、認識される画素の値の変化が擬似輪郭ノイズとして認識されない。
【００４４】
これらの結果、画質を劣化させることなく擬似輪郭ノイズを軽減することができる。
【００４５】
複数のサブフィールドは異なる重み量を有し、所定のサブフィールドは、最大の重み量を有するサブフィールドから最小の重み量を有するサブフィールドまで重み量が減少する順において画素が発光するサブフィールドのうち最大の重み量を有するサブフィールドを先頭として所定数のサブフィールドを含んでもよい。
【００４６】
この場合、所定のサブフィールドとして、表現される階調の値に最も影響を与えるサブフィールドが用いられるので、擬似輪郭ノイズの軽減の効果が増大する。また、所定のサブフィールドが擬似輪郭ノイズが発生しやすい重み量の大きなサブフィールドに限定して設定されるので、設計工数が削減される。
【００４７】
第１〜第４の発光パターンのうち２以上の発光パターンにおいて、隣接する階調レベル間で所定のサブフィールドにおける組み合わせパターンがそれぞれ同一であってもよい。
【００４８】
この場合、隣接する階調レベル間で所定のサブフィールドにおける組み合わせパターンがそれぞれ同一であることにより擬似輪郭ノイズおよびディザパターンによるノイズを軽減することが可能となる。
【００４９】
表示方法は、表示パネルに表示される画像における擬似輪郭ノイズの程度を検出するステップと、第１〜第４の画素に対応する複数の第５〜第８の発光パターンをそれぞれ含む第５〜第８のテーブルをさらに記憶するステップと、擬似輪郭ノイズの程度の検出結果に基づいて第１〜第４のテーブルの組および第５〜第８のテーブルの組のうち一方の組を選択するステップと、第５〜第８のテーブルの組が選択された場合に映像信号の階調レベルに基づいて選択された第５〜第８のテーブルから各領域の第１〜第４の画素にそれぞれ対応する第５〜第８の発光パターンを選択するステップと、選択された第５〜第８の発光パターンに基づいてサブフィールドごとに表示パネルの各領域の第１〜第４の画素を発光または非発光させることにより階調表示を行うステップとをさらに備え、所定のサブフィールドにおける発光および非発光の組み合わせパターンが第５〜第８の発光パターンのうち一部が互いに同一であり、各階調レベルにおいて、第５および第６の発光パターンによりそれぞれ表現される階調の値は第５〜第８の発光パターンにより表現される階調の平均値よりも低く、第７および第８の発光パターンによりそれぞれ表現される階調の値は平均値よりも高くてもよい。
【００５０】
この場合、表示パネルに表示される画像における擬似輪郭ノイズの程度が検出される。
【００５１】
また、第１〜第４の画素に対応する複数の第５〜第８の発光パターンをそれぞれ含む第５〜第８のテーブルがさらに記憶される。検出結果に基づいて第１〜第４のテーブルの組および第５〜第８のテーブルの組のうち一方の組が選択される。第５〜第８のテーブルの組が選択された場合に映像信号の階調レベルに基づいて選択された第５〜第８のテーブルから各領域の第１〜第４の画素にそれぞれ対応する第５〜第８の発光パターンが選択される。選択された第５〜第８の発光パターンに基づいてサブフィールドごとに表示パネルの各領域の第１〜第４の画素が発光または非発光される。それにより、階調表示が行われる。
【００５２】
各領域の階調は、第１〜第４の画素の階調の値の平均値により表現される。第１〜第４の発光パターンを用いた場合と同様に、各階調レベルにおいて、第５および第６の発光パターンによりそれぞれ表現される階調の値は第５〜第８の発光パターンにより表現される階調の平均値よりも低く、第７および第８の発光パターンによりそれぞれ表現される階調の値は平均値よりも高い。それにより、擬似輪郭ノイズが打ち消される。
【００５３】
特に、所定のサブフィールドにおける発光および非発光の組み合わせパターンが第５〜第８の発光パターンのうち一部で互いに同一である。それにより、擬似輪郭ノイズの軽減の効果は、第１〜第４の発光パターンを用いた場合に比べて小さいが、ディザパターンによるノイズを軽減することが可能となる。
【００５４】
擬似輪郭ノイズの程度に応じて第１〜第４の発光パターンまたは第８の発光パターンを選択的に用いることにより、ディザパターンによるノイズを最小限に抑制しかつ擬似輪郭ノイズを軽減することができる。
【００５５】
階調表示を行うステップは、各階調レベルと第１〜第４の発光パターンによりそれぞれ表現される階調の値との差を第１〜第４のディザ値として記憶するステップと、映像信号の階調レベルに対応する第１〜第４のディザ値を出力するステップと、映像信号の階調レベルに発生された第１〜第４のディザ値をそれぞれ加算するステップと、第１〜第４のテーブルを記憶するステップと、加算結果に基づいて第１〜第４のテーブルから第１〜第４の発光パターンを選択するステップと、選択された第１〜第４の発光パターンに基づいてサブフィールドごとに表示パネルの各領域の第１〜第４の画素を発光または非発光させるステップとを含んでもよい。
【００５６】
この場合、各階調レベルと第１〜第４の発光パターンによりそれぞれ表現される階調の値との差が第１〜第４のディザ値として記憶されるとともに、映像信号の階調レベルに対応する第１〜第４のディザ値が出力される。映像信号の階調レベルに第１〜第４のディザ値がそれぞれ加算される。第１〜第４のテーブルが記憶されるとともに、加算結果に基づいて第１〜第４のテーブルから第１〜第４の発光パターンが選択される。選択された第１〜第４の発光パターンに基づいてサブフィールドごとに表示パネルの各領域の第１〜第４の画素が発光または非発光される。
【００５７】
このように、第１〜第４のディザ値を用いて階調表示が行われるとともに、擬似輪郭ノイズが軽減される。
【００５８】
表示方法は、映像信号の階調レベルと第１〜第４の発光パターンによりそれぞれ表現される階調の平均値とが異なる場合に、映像信号の階調レベルと第１〜第４の発光パターンによりそれぞれ表現される階調の平均値との誤差を空間的および／または時間的に映像信号に拡散するステップをさらに備えてもよい。
【００５９】
この場合、映像信号の階調レベルと第１〜第４の発光パターンによりそれぞれ表現される階調の平均値とが異なる場合に、映像信号の階調レベルと第１〜第４の発光パターンによりそれぞれ表現される階調の平均値との誤差が空間的および／または時間的に映像信号に拡散される。それにより、映像信号の階調レベルに対応する階調の値を表現することが可能となる。
【発明の効果】
【００６０】
本発明によれば、所定のサブフィールドとして擬似輪郭ノイズが生じにくいサブフィールドを用いることにより、擬似輪郭ノイズを抑制することができる。視線がどの方向に移動した場合でも、第１〜第４の画素の階調の値の変化が互いに打ち消される。その結果、認識される画素の値の変化が擬似輪郭ノイズとして認識されない。これらの結果、画質を劣化させることなく擬似輪郭ノイズを軽減することができる。
【発明を実施するための最良の形態】
【００６１】
以下の実施の形態では、本発明を表示装置の一例としてＰＤＰ（プラズマディスプレイパネル）を有するプラズマディスプレイ装置に適用した場合を説明する。ＰＤＰは、上下左右に隣接する４つの画素をそれぞれ含む複数の領域から構成される。
【００６２】
なお、以下においては、説明の簡単化のために一つの色を用いたモノクロ表示について説明するが、Ｒ（赤）、Ｇ（緑）およびＢ（青）の３色を用いたカラー表示においても本発明は同様に適用することができる。
【００６３】
また、本実施の形態のプラズマディスプレイ装置においては、入力される映像信号の階調レベルを、ＰＤＰの各領域における上下左右に隣接する４つの画素によって表示される階調の値の平均値により表現する。
【００６４】
（第１の実施の形態）
図１は本発明の第１の実施の形態におけるプラズマディスプレイ装置の構成を示すブロック図である。
【００６５】
図１のプラズマディスプレイ装置は、Ａ／Ｄコンバータ（アナログ・デジタル変換器）１００、走査数変換部２００、誤差拡散装置３００、係数加算器３１０、ディザ値発生器３２０、サブフィールド変換部４００、放電制御タイミング発生回路５００、ＰＤＰ（プラズマディスプレイパネル）６００、データドライバ７００、スキャンドライバ８００およびサステインドライバ９００を含む。
【００６６】
Ａ／Ｄコンバータ１００には映像信号ＶＳが入力される。また、放電制御タイミング発生回路５００、Ａ／Ｄコンバータ１００、走査数変換部２００、誤差拡散装置３００、係数加算器３１０、ディザ値発生器３２０およびサブフィールド変換部４００には水平同期信号Ｈおよび垂直同期信号Ｖが与えられる。
【００６７】
Ａ／Ｄコンバータ１００は、映像信号ＶＳをデジタルの画像データＶＤに変換し、その画像データＶＤを走査数変換部２００に与える。
【００６８】
走査数変換部２００は、画像データＶＤをＰＤＰ６００の画素数に応じたライン数の画像データに変換し、各ラインの画像データを誤差拡散装置３００に与える。各ラインの画像データは、各ラインの複数の画素にそれぞれ対応する複数の画像データからなる。
【００６９】
誤差拡散装置３００は、後述するディザ値発生器３２０から出力された後述の誤差を空間的および時間的に拡散する。詳細については後述する。誤差拡散装置３００により得られた画像データＶＶは、係数加算器３１０およびディザ値発生器３２０に与えられる。画像データＶＶの値は対応する画素の階調レベルを示す。
【００７０】
ディザ値発生器３２０は、画像データＶＶにより表される複数の階調レベルと複数のディザ値との関係を示すディザテーブルを記憶するとともに、ディザテーブルから画像データＶＶの階調レベルに対応するディザ値を読み出して係数加算器３１０に与える。ここで、ディザ値は、各階調レベルと各画素により表示される階調の値との差に相当する。
【００７１】
係数加算器３１０は、誤差拡散装置３００により与えられた画像データＶＶに、ディザ値発生器３２０により与えられたディザ値を加算し、加算結果を画像データＶＶ１としてサブフィールド変換部４００に与える。
【００７２】
画像データＶＶ１は、各領域の４つの画素によりそれぞれ表示される階調の値を示す。
【００７３】
サブフィールド変換部４００は、各領域の４つの画素によりそれぞれ表示される階調の値と複数のサブフィールドの発光パターンとの関係を示す発光パターンテーブルを記憶するとともに、この発光パターンテーブルに基づいて画像データＶＶ１を複数のサブフィールドに対応するシリアルデータＳＤに変換し、シリアルデータＳＤをデータドライバ７００に与える。
【００７４】
放電制御タイミング発生回路５００は、水平同期信号Ｈおよび垂直同期信号Ｖを基準として放電制御タイミング信号ＳＣ，ＳＵを発生する。放電制御タイミング発生回路５００は、放電制御タイミング信号ＳＣをスキャンドライバ８００に与え、放電制御タイミング信号ＳＵをサステインドライバ９００に与える。
【００７５】
ＰＤＰ６００は、複数のデータ電極５０、複数のスキャン電極６０および複数のサステイン電極７０を含む。複数のデータ電極５０は、画面の垂直方向に配列され、複数のスキャン電極６０および複数のサステイン電極７０は画面の水平方向に配列されている。複数のサステイン電極７０は共通に接続されている。
【００７６】
データ電極５０、スキャン電極６０およびサステイン電極７０の各交点に放電セルが形成され、各放電セルが画面上の画素を構成する。
【００７７】
データドライバ７００は、サブフィールド変換部４００から与えられるシリアルデータＳＤをパラレルデータに変換し、そのパラレルデータに基づいて書き込みパルスを複数のデータ電極５０に選択的に与える。
【００７８】
スキャンドライバ８００は、放電制御タイミング発生回路５００から与えられる放電制御タイミング信号ＳＣに基づいて各スキャン電極６０を駆動する。サステインドライバ９００は、放電制御タイミング発生回路５００から与えられる放電制御タイミング信号ＳＵに基づいてサステイン電極７０を駆動する。
【００７９】
図１に示すプラズマディスプレイ装置では、階調表示駆動方式として、ＡＤＳ（Address Display-Period Separation：アドレス・表示期間分離）方式が用いられている。
【００８０】
図２は図１に示すプラズマディスプレイ装置に適用されるＡＤＳ方式を説明するための図である。なお、図２では、駆動パルスの立ち下がり時に放電を行う負極性のパルスの例を示しているが、立ち上がり時に放電を行う正極性のパルスの場合でも基本的な動作は以下と同様である。なお、図２では、図示を簡略化するために、１フィールドが５つのサブフィールドＳＦ１〜ＳＦ５を含む。
【００８１】
ＡＤＳ方式では、１フィールドを複数のサブフィールドに時間的に分割する。図２の例では、１フィールドを５つのサブフィールドＳＦ１〜ＳＦ５に分割する。また、各サブフィールドＳＦ１〜ＳＦ５は、初期化期間Ｒ１〜Ｒ５、書き込み期間ＡＤ１〜ＡＤ５、維持期間ＳＵＳ１〜ＳＵＳ５および消去期間ＲＳ１〜ＲＳ５に分離される。初期化期間Ｒ１〜Ｒ５においては、各サブフィールドの初期化処理が行われ、書き込み期間ＡＤ１〜ＡＤ５においては、点灯される放電セルを選択するためのアドレス放電が行われ、維持期間ＳＵＳ１〜ＳＵＳ５においては、表示のための維持放電が行われる。
【００８２】
初期化期間Ｒ１〜Ｒ５においては、サステイン電極７０に単一の初期化パルスが加えられ、スキャン電極６０にもそれぞれ単一の初期化パルスが加えられる。これにより予備放電が行われる。
【００８３】
書き込み期間ＡＤ１〜ＡＤ５においては、スキャン電極６０が順次走査され、データ電極５０から書き込みパルスを受けた放電セルだけに所定の書き込み処理が行われる。これによりアドレス放電が行われる。
【００８４】
維持期間ＳＵＳ１〜ＳＵＳ５においては、各サブフィールドＳＦ１〜ＳＦ５に重み付けされた値に応じた維持パルスがサステイン電極７０およびスキャン電極６０へ出力される。例えば、サブフィールドＳＦ１では、サステイン電極７０に維持パルスが１回印加され、スキャン電極６０に維持パルスが１回印加され、書き込み期間ＡＤ１において選択された放電セル１４が２回維持放電を行う。また、サブフィールドＳＦ２では、サステイン電極７０に維持パルスが２回印加され、スキャン電極６０に維持パルスが２回印加され、書き込み期間ＡＤ２において選択された放電セル１４が４回維持放電を行う。
【００８５】
上記のように、各サブフィールドＳＦ１〜ＳＦ５では、サステイン電極７０およびスキャン電極６０に１回、２回、４回、８回、１６回ずつ維持パルスが印加され、パルス数に応じた明るさ（輝度）で放電セルが発光する。すなわち、維持期間ＳＵＳ１〜ＳＵＳ５は、書き込み期間ＡＤ１〜ＡＤ５で選択された放電セルが明るさの重み量に応じた回数で放電する期間である。
【００８６】
図３はディザ値発生器３２０のディザテーブルに基づいた各領域の４画素の複数のサブフィールドの発光パターンの一例を示す模式図である。以下の例では、１フィールドが１０個のサブフィールドに分割される。
【００８７】
図３において、白丸は発光サブフィールド、黒丸は非発光サブフィールドを示し、複数のサブフィールドを重み量の小さい順にＳＦ１〜ＳＦ１０とする。また、図３に示す列Ａ，Ｂ，Ｃ，・・・は水平方向の画素の列番号を示し、行１，２，３，・・・は垂直方向の画素の行番号を示す。ＰＤＰ６００の領域をＲ１，Ｒ２，Ｒ３，Ｒ４，・・・とする。
【００８８】
サブフィールドＳＦ１〜ＳＦ１０は、一画素の階調の値を表現するために使用される。例えば、サブフィールドＳＦ１〜ＳＦ１０の重み量は、それぞれ「１」、「２」、「４」、「８」、「１６」、「３２」、「６４」、「１２８」、「２５６」および「５１２」に設定される。
【００８９】
ここで、領域Ｒ１内の列Ａ行１、列Ｂ行１、列Ａ行２および列Ｂ行２に配置された４画素による階調表示について説明する。領域Ｒ１の４画素により表示すべき階調レベルをそれぞれ「９５９」とする。
【００９０】
なお、列Ｂ行２（右下）の画素を第１の画素Ｐ１とし、列Ａ行１（左上）の画素を第２の画素Ｐ２とし、列Ａ行２（左下）の画素を第３の画素Ｐ３とし、列Ｂ行１（右上）の画素を第４の画素Ｐ４とする。
【００９１】
第１の画素Ｐ１の発光パターンは、サブフィールドＳＦ１からサブフィールドＳＦ１０まで順に「１１１０１１１０１１（１は発光を示し、０は非発光を示す）」であり、１フィールドで「８８７」という階調の値を表現する。
【００９２】
第２の画素Ｐ２の発光パターンは、サブフィールドＳＦ１からサブフィールドＳＦ１０まで順に「１１０１１１０１１１」であり、１フィールドで「９５５」という階調の値を表現する。
【００９３】
第３の画素Ｐ３の発光パターンは、サブフィールドＳＦ１からサブフィールドＳＦ１０まで順に「１０１１１０１１１１」であり、１フィールドで「９８９」という階調の値を表現する。
【００９４】
第４の画素Ｐ４の発光パターンは、サブフィールドＳＦ１からサブフィールドＳＦ１０まで順に「０１１１０１１１１１」であり、１フィールドで「１００６」という階調の値を表現する。
【００９５】
上記の第１〜第４の画素Ｐ１〜Ｐ４により表示される階調の値の平均値は、（９５５＋１００６＋９８９＋８８７）／４より算出される「９５９．２５」となる。
【００９６】
本実施の形態においては、例えば、上記の第１〜第４の画素Ｐ１〜Ｐ４のサブフィールドＳＦ５〜ＳＦ８の発光パターンがそれぞれ異なるように「１１０１」、「０１１１」、「１０１１」および「１１１０」に設定されている。
【００９７】
なお、本実施の形態においては、第１〜第４の画素Ｐ１〜Ｐ４のサブフィールドＳＦ５〜ＳＦ８の発光パターンがそれぞれ異なるように設定しているが、これに限定されず、第１〜第４の画素Ｐ１〜Ｐ４の任意のｎ〜ｍ番目のサブフィールドの発光パターンがそれぞれ異なるように設定してもよい。ここで、ｍおよびｎは全サブフィールド数より小さい正の整数であり、ｍ＞ｎである。
【００９８】
ここで、第１〜第４の画素Ｐ１〜Ｐ４によりそれぞれ表示すべき階調レベルである「９５９」と、サブフィールドＳＦ１〜ＳＦ１０の発光パターンによって実際に表現される上記の第１〜第４の画素Ｐ１〜Ｐ４の階調の値の平均値である「９５９．２５」との差は「−０．２５」である。
【００９９】
ディザ値発生器３２０は、上記の「−０．２５」の差を第１〜第４の画素Ｐ１〜Ｐ４の各々の誤差として誤差拡散装置３００へ出力する。誤差拡散装置３００は、この誤差を空間的および時間的に拡散する。誤差拡散装置３００の構成および誤差の拡散方法については後述する。
【０１００】
このように、本実施の形態においては、上記の第１〜第４の画素Ｐ１〜Ｐ４におけるｎ〜ｍ番目のサブフィールドの発光パターンがそれぞれ異なる（条件１）。
【０１０１】
また、本実施の形態においては、ＰＤＰ６００の各領域における上下左右に隣接する第１〜第４の画素Ｐ１〜Ｐ４のうち、一方の対角位置に配置された第１の画素Ｐ１および第２の画素Ｐ２によりそれぞれ表示される階調の値は、上記の第１〜第４の画素Ｐ１〜Ｐ４により表示される階調の値の平均値よりも低く、他方の対角位置に配置された第３の画素Ｐ３および第４の画素Ｐ４によりそれぞれ表示される階調の値は、上記の第１〜第４の画素Ｐ１〜Ｐ４により表示される階調の値の平均値よりも高い（条件２）。
【０１０２】
なお、本実施の形態においては、第１の画素Ｐ１、第２の画素Ｐ２、第３の画素Ｐ３および第４の画素Ｐ４におけるサブフィールドＳＦ５〜ＳＦ８の発光パターンが異なるように設定されているが（図４ａ〜図４ｄに太線で示される）、これに限定されるものではなく、上記の第１〜第４の画素Ｐ１〜Ｐ４における任意のｎ〜ｍ番目のサブフィールドの発光パターンが異なるように設定されてもよい。
【０１０３】
複数のサブフィールドのうち任意のｎ〜ｍ番目のサブフィールドにおける発光および非発光の組み合わせパターンが第１〜第４の画素Ｐ１〜Ｐ４の発光パターン間で互いに異なることにより、第１〜第４の画素Ｐ１〜Ｐ４の発光パターンに基づいて表現される階調の値が異なる。
【０１０４】
また、任意のｎ〜ｍ番目のサブフィールドとして擬似輪郭ノイズが生じにくいサブフィールドを用いることにより、擬似輪郭ノイズを抑制することができる。
【０１０５】
図４ａ〜図４ｅはディザ値発生器３２０が有するディザテーブルおよびサブフィールド変換部４００が有する発光パターンテーブルを示す説明図である。
【０１０６】
図４ａから図４ｄにおける階調レベルと第１〜第４のディザ値との関係および図４ｅにおける階調レベルと誤差との関係は、ディザ値発生器３２０が有するディザテーブルに含まれる。ディザ値発生器３２０は、水平同期信号Ｈおよび垂直同期信号Ｖに基づいて画像データＶＶが第１〜第４の画素Ｐ１〜Ｐ４のいずれに対応するかを判別し、この画素に対応するディザ値を選択する。
【０１０７】
また、図４ａ〜図４ｄの第１〜第４の階調の値と第１〜第４の発光パターンとの関係は、サブフィールド変換部４００が有する発光パターンテーブルに含まれる。なお、図４ａに示す階調レベルは第１の画素Ｐ１の階調レベルを示し、図４ｂに示す階調レベルは第２の画素Ｐ２の階調レベルを示し、図４ｃに示す階調レベルは第３の画素Ｐ３の階調レベルを示し、図４ｄに示す階調レベルは第４の画素Ｐ４の階調レベルを示す。
【０１０８】
ここで、例えば、第１の画素Ｐ１に対応する画像データＶＶの階調レベルが「９５９」の場合における第１の画素Ｐ１による階調表示について説明する。
【０１０９】
図４ａに示すように、階調レベル「９５９」の画像データＶＶがディザ値発生器３２０に入力されると、ディザ値発生器３２０は、ディザテーブルに基づいて第１のディザ値「−７２」を係数加算器３１０へ出力する。
【０１１０】
係数加算器３１０は、第１のディザ値「−７２」と画像データＶＶの階調レベル「９５９」とを加算し、加算結果である第１の階調の値「８８７」を有する画像データＶＶ１をサブフィールド変換部４００に出力する。
【０１１１】
サブフィールド変換部４００は、画像データＶＶ１が有する第１の階調の値「８８７」に対応する第１の発光パターン「１１１０１１１０１１」を図４ａの発光パターンテーブルから読み出し、シリアルデータＳＤに変換する。このシリアルデータＳＤに基づいてデータドライバ７００によりＰＤＰ６００の第１の画素Ｐ１に対応するデータ電極５０が駆動される。
【０１１２】
なお、第２の画素Ｐ２、第３の画素Ｐ３および第４の画素Ｐ４についても上記と同様な階調表示が行われる。
【０１１３】
また、ディザ値発生器３２０は、入力された画像データＶＶが有する階調レベル「９５９」に対応する誤差「−０．２５」を図４ｅのディザテーブルから読み出し、誤差拡散装置３００へ出力する。すなわち、ディザ値発生器３２０は、階調レベル「９５９」と、第１〜第４の画素Ｐ１〜Ｐ４の第１〜第４の階調の値の平均値「９５９．２５」との差である「−０．２５」を誤差として誤差拡散装置３００へ出力する。
【０１１４】
次に、ＰＤＰ６００の各領域の第１〜第４の画素Ｐ１〜Ｐ４の上記の条件１および条件２を満たす発光パターンに基づいて第１〜第４の画素Ｐ１〜Ｐ４を発光または非発光させることによって、擬似輪郭ノイズが軽減される仕組みについて説明する。なお、擬似輪郭ノイズは、隣接する画素の階調レベルが同一または近似している場合に発生する。
【０１１５】
図５（ａ）は人間の視線が移動しない場合に認識される各画素の明暗を示す説明図であり、図５（ｂ）は矢印の方向（左から右）に人間の視線が移動した場合に認識される各画素の明暗を示す説明図である。
【０１１６】
図５（ａ）および図５（ｂ）において、「明」と示す画素は、各領域における第１〜第４の画素Ｐ１〜Ｐ４により表示される階調の値の平均値よりも高い階調の値を表示する画素であり、「暗」と示す画素は、各領域における第１〜第４の画素Ｐ１〜Ｐ４により表示される階調の値の平均値よりも低い階調の値を表示する画素である。
【０１１７】
図５（ａ）に示すように、ＰＤＰ６００の各領域Ｒ１，Ｒ２，Ｒ３，Ｒ４の第１の画素Ｐ１および第２の画素Ｐ２の階調の値は、第１〜第４の画素Ｐ１〜Ｐ４の階調の値の平均値よりも低く設定され、第３の画素Ｐ３および第４の画素Ｐ４の階調の値は、第１〜第４の画素Ｐ１〜Ｐ４の階調の値の平均値よりも高く設定される。
【０１１８】
特に、本実施の形態では、ＰＤＰ６００の各領域Ｒ１，Ｒ２，Ｒ３，Ｒ４，・・・において、第１の画素Ｐ１、第２の画素Ｐ２、第３の画素Ｐ３および第４の画素Ｐ４の画素の値をそれぞれｐ１，ｐ２，ｐ３およびｐ４とし、第１〜第４の画素Ｐ１〜Ｐ４の階調の値の平均値をｐａとすると、次の関係が成り立つように第１〜第４の画素Ｐ１〜Ｐ４の階調の値が設定される。
【０１１９】
ｐ１＜ｐ２＜ｐａ＜ｐ３＜ｐ４  ・・・（１）
ＰＤＰ６００の全ての領域が上式（１）の関係を有する。
【０１２０】
また、図５（ｂ）に示すように、人間の視線が矢印の方向に移動した場合、ＰＤＰ６００の各領域Ｒ１，Ｒ２，Ｒ３，Ｒ４の第１の画素Ｐ１および第２の画素Ｐ２の階調の値は、第１〜第４の画素Ｐ１〜Ｐ４の階調の値の平均値よりも高く認識され、第３の画素Ｐ３および第４の画素Ｐ４の階調の値は、第１〜第４の画素Ｐ１〜Ｐ４の階調の値の平均値よりも低く認識される。
【０１２１】
このように、視線の移動により隣接する画素の階調の値の関係は逆転するが、第２の画素Ｐ２の階調の値の変化と第３の画素Ｐ３の階調の値の変化とが互いに打ち消され、第１の画素Ｐ１の階調の値の変化と第４の画素Ｐ４の階調の値の変化とが互いに打ち消される。その結果、認識される画素の値の変化が擬似輪郭ノイズとして認識されない。
【０１２２】
また、人間の視線が第２の画素Ｐ２から第１の画素Ｐ１へ向かう方向（左上から右下）に移動した場合、ＰＤＰ６００の各領域Ｒ１，Ｒ２，Ｒ３，Ｒ４，・・・の第１の画素Ｐ１の階調の値と第２の画素Ｐ２の階調の値との関係が逆転するように認識され、第３の画素Ｐ３の階調の値と第４の画素Ｐ４の階調の値との関係が逆転するように認識される。
【０１２３】
このように、対角方向への視線の移動により、対角方向に隣接する画素の階調の値の関係は逆転するが、第２の画素Ｐ２および第１の画素Ｐ１の階調の値の変化と第３の画素Ｐ３および第４画素Ｐ４の階調の値の変化とが互いに打ち消される。その結果、認識される画素の値の変化が擬似輪郭ノイズとして認識されない。
【０１２４】
なお、上記の矢印の方向に視線が移動する場合に限らず、上記の矢印の方向と逆の方向（右から左）、第２および第４の画素Ｐ２，Ｐ４から第３および第１の画素Ｐ３，Ｐ１へ向かう方向（下方向）およびその逆方向（上方向）、第１の画素Ｐ１から第２の画素Ｐ２へ向かう方向（右下から左上）ならびに第４の画素Ｐ４から第３の画素Ｐ３へ向かう方向（右上から左下）およびその逆方向（左下から右上）に視線が移動する場合においても、認識される画素の値の変化が擬似輪郭ノイズとして認識されない。
【０１２５】
これらの結果、画質を劣化させることなく擬似輪郭ノイズを軽減することができる。
【０１２６】
また、人間の目は、第１〜第４の画素Ｐ１〜Ｐ４により構成される領域で階調の値を認識するので、擬似輪郭ノイズがある部分に集中している場合に見える特有の縞模様等による画質の劣化が防止される。
【０１２７】
上記の例では、各領域内の第１〜第４の画素Ｐ１〜Ｐ４に対応する画像データＶＶの階調レベルが同じ場合を示しているが、第１〜第４の画素Ｐ１〜Ｐ４に対応する画像データＶＶの階調レベルは同じであるとは限らない。各領域内の第１〜第４の画素Ｐ１〜Ｐ４に対応する画像データＶＶの階調レベルが異なる場合においても、それらが近い階調レベルを有する場合（階調レベルの差が１または２等の場合）には、上式（１）の関係が成り立つように発光パターンテーブルが設定される。なお、各領域内の第１〜第４の画素Ｐ１〜Ｐ４に対応する画像データＶＶの階調レベルが大きく異なる場合には、上式（１）の関係は成り立たない。しかし、各領域内の第１〜第４の画素Ｐ１〜Ｐ４の画素により表示されるべき階調レベルが大きく異なる場合には、擬似輪郭ノイズが発生しないので問題はない。
【０１２８】
なお、本実施の形態では、各領域内の第１の画素Ｐ１および第２の画素Ｐ２を、第１〜第４の画素Ｐ１〜Ｐ４により表示される階調の値の平均値よりも低い階調の値を表示する画素とし、各領域内の第３の画素Ｐ３および第４の画素Ｐ４を、第１〜第４の画素Ｐ１〜Ｐ４により表示される階調の値の平均値よりも高い階調の値を表示する画素としているが、これに限定されず、各領域内の第１の画素Ｐ１および第２の画素Ｐ２を、第１〜第４の画素Ｐ１〜Ｐ４により表示される階調の値の平均値よりも高い階調の値を表示する画素とし、各領域内の第３の画素Ｐ３および第４の画素Ｐ４を、第１〜第４の画素Ｐ１〜Ｐ４により表示される階調の値の平均値よりも低い階調の値を表示する画素としてもよい。
【０１２９】
次に、ディザ値発生器３２０から出力された誤差ｅ１を空間的および時間的に拡散する誤差拡散装置３００について説明する。
【０１３０】
図６は図１に示す誤差拡散装置３００の構成を示すブロック図である。
【０１３１】
図６に示すように、誤差拡散装置３００は、加算器１１，１２、乗算器１３〜１６、フィールド間遅延器５およびフィールド内遅延器６を備える。フィールド内遅延器６は、遅延器６１〜６４を含む。
【０１３２】
ディザ値発生器３２０から出力された誤差ｅ１は、フィールド間遅延器５に入力される。フィールド間遅延器５は、誤差ｅ１を１フィールドの期間（１Ｖ）遅延させて加算器１２へ出力する。
【０１３３】
また、誤差ｅ１は、フィールド内遅延器６内の遅延器６１〜６４にそれぞれ入力される。
【０１３４】
遅延器６１は、誤差ｅ１を１画素の期間（１Ｔ）だけ遅延させて乗算器１３へ出力する。遅延器６２は、誤差ｅ１を１ラインよりも１画素長い期間（１Ｈ＋１Ｔ）だけ遅延させて乗算器１４へ出力する。また、遅延器６３は、誤差ｅ１を１ラインの期間（１Ｈ）だけ遅延させて乗算器１５へ出力する。遅延器６４は、誤差ｅ１を１ラインよりも１画素短い期間（１Ｈ−１Ｔ）だけ遅延させて乗算器１６へ出力する。
【０１３５】
乗算器１３は、遅延器６１から出力された誤差ｅ１に所定の係数Ｋ１を乗算して加算器１２へ出力する。乗算器１４は、遅延器６２から出力された誤差ｅ１に所定の係数Ｋ２を乗算して加算器１２へ出力する。乗算器１５は、遅延器６３から出力された誤差ｅ１に所定の係数Ｋ３を乗算して加算器１２へ出力する。乗算器１６は、遅延器６４から出力された誤差ｅ１に所定の係数Ｋ４を乗算して加算器１２へ出力する。
【０１３６】
ここで、各係数Ｋ１，Ｋ２，Ｋ３，Ｋ４は、Ｋ１＋Ｋ２＋Ｋ３＋Ｋ４＝１の関係を満たす適当な値に設定される。例えば、係数Ｋ１〜Ｋ４としては、それぞれ７／１６、１／１６、５／１６および３／１６が用いられる。
【０１３７】
加算器１２は、フィールド間遅延器５の出力および乗算器１３〜１６の出力を加算し、その加算結果を最終誤差成分ｅ２として加算器１１へ出力する。
【０１３８】
そして、加算器１１が画像データＶＤと加算器１２から出力される最終誤差成分ｅ２とを加算することにより最終誤差成分ｅ２が空間的および時間的に拡散される。
【０１３９】
なお、本実施の形態においては、ディザ値発生器３２０から出力された誤差ｅ１を時間的および空間的に映像信号に拡散しているが、これに限定されるものではなく、誤差ｅ１を時間的にのみまたは空間的にのみ画像データＶＤに拡散してもよい。
【０１４０】
図７（ａ）は誤差ｅ１の空間的な拡散を示す図であり、図７（ｂ）は誤差ｅ１の時間的な拡散を示す図である。
【０１４１】
図７（ａ）に示すように、注目画素Ｐｘ０の誤差ｅ１が同ラインの右側に隣接する画素Ｐｘ１、下のラインにおいて右斜め下方の画素Ｐｘ２、注目画素Ｐｘ０の下方に隣接する画素Ｐｘ３および左斜め下方の画素Ｐｘ４に空間的に拡散される。
【０１４２】
画素Ｐｘ１へは、誤差ｅ１に係数Ｋ１を乗算した値が拡散され、画素Ｐｘ２へは、誤差ｅ１に係数Ｋ２を乗算した値が拡散され、画素Ｐｘ３へは、誤差ｅ１に係数Ｋ３を乗算した値が拡散され、画素Ｐｘ４へは、誤差ｅ１に係数Ｋ４を乗算した値が拡散される。
【０１４３】
このような誤差拡散処理により、画像データＶＤの階調レベルと第１〜第４の発光パターンによりそれぞれ表現される階調の値の平均値とが異なる場合に、画像データＶＤの階調レベルに対応する階調の値を表現することが可能となる。
【０１４４】
図７（ｂ）に示すように、注目画素Ｐｘ０の誤差ｅ１が次フィールドにおいて、注目画素Ｐｘ０と同一座標の画素Ｐｘ６に時間的に拡散される。
【０１４５】
なお、第１〜第４の画素Ｐ１〜Ｐ４に対応する画像データＶＤの階調レベルは等しいとは限らないが、例えば第１の画素Ｐ１に対応する誤差を決定する場合には、第１〜第４の画素Ｐ１〜Ｐ４に対応する画像データＶＤの階調レベルが等しいものと仮定し、その階調レベルと第１〜第４の発光パターンによりそれぞれ表現される階調の値の平均値との差である誤差をディザテーブルから読み出す。
【０１４６】
次に、ディザ値発生器３２０が有するディザテーブルおよびサブフィールド変換部４００が有する発光パターンテーブルの他の例について説明する。
【０１４７】
図８ａ〜図８ｅはディザ値発生器３２０が有するディザテーブルおよびサブフィールド変換部４００が有する発光パターンテーブルの他の例を示す説明図である。
【０１４８】
図８ａから図８ｄにおける階調レベルと第１〜第４のディザ値との関係および図８ｅにおける階調レベルと誤差との関係は、ディザ値発生器３２０が有するディザテーブルに含まれる。また、図８ａ〜図８ｄの第１〜第４の階調の値と第１〜第４の発光パターンとの関係は、サブフィールド変換部４００が有する発光パターンテーブルに含まれる。なお、図８ａに示す階調レベルは第１の画素Ｐ１の階調レベルを示し、図８ｂに示す階調レベルは第２の画素Ｐ２の階調レベルを示し、図８ｃに示す階調レベルは第３の画素Ｐ３の階調レベルを示し、図８ｄに示す階調レベルは第４の画素Ｐ４の階調レベルを示す。
【０１４９】
図８ａ〜図８ｄにおいて、最大の重み量を有するサブフィールドＳＦ１０から最小の重み量を有するサブフィールドＳＦ１まで重み量が減少する順において、画素が発光するサブフィールドのうち最大の重み量を有するサブフィールドを先頭として所定数のサブフィールドまでの発光および非発光の組み合わせパターンが、第１〜第４の画素Ｐ１〜Ｐ４において全て異なる（条件３）。
【０１５０】
以下、画素が発光するサブフィールドを発光サブフィールドと呼び、画素が発光しないサブフィールドを非発光サブフィールドと呼ぶ。
【０１５１】
本実施の形態においては、第１〜第４の発光パターンにおける発光サブフィールドのうち最大の重み量を有するサブフィールドを先頭として所定数のサブフィールドは４つのサブフィールドを含む。
【０１５２】
この場合、第１〜第４の発光パターンにおける４つのサブフィールドの発光および非発光の組み合わせパターンは、「１１１０」、「１１０１」、「１０１１」、「０１１１」および「１１１１」の５パターンから選択される。
【０１５３】
例えば、画像データＶＶの階調レベルが「１３」の場合においては、図８ａ〜図８ｄに太線で示すように、サブフィールドＳＦ４〜ＳＦ１が条件３を満たす。条件３を満たす第１の画素Ｐ１の発光および非発光の組み合わせパターンは図８ａに示すように、「１０１１」となり、条件３を満たす第２の画素Ｐ２の発光および非発光の組み合わせパターンは図８ｂに示すように、「１１０１」となり、条件３を満たす第３の画素Ｐ３の発光および非発光の組み合わせパターンは図８ｃに示すように、「１１１０」となり、条件３を満たす第４の画素Ｐ４の発光および非発光の組み合わせパターンは図８ｄに示すように、「１１１１」となる。
【０１５４】
このように、最大の重み量を有するサブフィールドＳＦ１０から最小の重み量を有するサブフィールドＳＦ１まで重み量が減少する順において、画素が発光するサブフィールドのうち最大の重み量を有するサブフィールドを先頭として４つのサブフィールドにおける発光および非発光の組み合わせパターンが、第１〜第４の画素Ｐ１〜Ｐ４において全て異なる。大きな重み量を有するサブフィールドの発光および非発光の組み合わせパターンにより発生する擬似輪郭ノイズは、著しい画質の劣化を生み出す。そのため、表現される階調の値に最も影響を与えるサブフィールドの発光および非発光の組み合わせパターンが異なることにより、擬似輪郭ノイズの軽減の効果が増大する。
【０１５５】
また、擬似輪郭ノイズが発生しやすい重み量の大きなサブフィールドに限定して発光パターンが設定されるので、設計工数が削減される。
【０１５６】
なお、上記の条件１かつ条件２を満たす発光パターンの設定、または条件２かつ条件３を満たす発光パターンの設定に加え、図４ａ〜図４ｄおよび図８ａ〜図８ｄの第１〜第４の発光パターンのうち２以上の発光パターンにおいて、隣接する階調レベル間で所定のサブフィールドにおける発光および非発光の組み合わせパターンがそれぞれ同一であってもよい（条件４）。
【０１５７】
以下に、一例として、条件２かつ条件３かつ条件４を満たす発光パターンの設定について図８ａ〜９ｄを用いて説明する。
【０１５８】
図８ａ〜図８ｄの第１〜第４の発光パターンにおいて、例えば、画像データＶＶの階調レベル「２３」を表現する場合、第１〜第４の発光パターンのサブフィールドＳＦ５〜ＳＦ２は、それぞれ「０１１１」、「１０１１」、「１１０１」および「１１１０」となる。
【０１５９】
また、上記の階調レベル「２３」に隣接する階調レベル「２４」を表現する場合、第１〜第４の発光パターンのサブフィールドＳＦ５〜ＳＦ２は、それぞれ「０１１１」、「１０１１」、「１１１０」および「１１１１」となる。
【０１６０】
この場合、階調レベル「２３」および階調レベル「２４」を表現する第１〜第４の発光パターンのサブフィールドＳＦ５〜ＳＦ２のうち第１の発光パターンのサブフィールドＳＦ５〜ＳＦ２と第２の発光パターンのサブフィールドＳＦ５〜ＳＦ２とがそれぞれ同一である。
【０１６１】
この場合、隣接する階調レベル間でディザ値が１または２ずつ変化する。したがって、階調レベルの差が小さい画素が隣接するような画素において画素間のディザ値の変化が滑らかになる。その結果、擬似輪郭ノイズおよびディザパターンによるノイズを軽減することが可能となる。
【０１６２】
このように、第１〜第４の発光パターンのうち２以上の発光パターンにおいて、隣接する階調レベル間で所定のサブフィールドにおける発光および非発光の組み合わせパターンがそれぞれ同一であることにより、画質がより向上する。
【０１６３】
本実施の形態においては、ＰＤＰ６００が表示パネルに相当し、係数加算器３１０、ディザ値発生器３２０およびサブフィールド変換部４００が階調表示部に相当し、データドライバ７００、スキャンドライバ８００およびサステインドライバ９００が駆動部に相当し、誤差拡散装置３００が拡散装置に相当する。
【０１６４】
なお、第１〜第４の発光パターンの各々において、発光サブフィールド間に非発光サブフィールドが挟まれた箇所が少なくなるように発光パターンを設定してもよい。それにより、擬似輪郭ノイズが生じにくい。例えば、最も大きな重み量を有する発光サブフィールドから最も小さな重み量を有するサブフィールドにおいて、発光サブフィールド間に挟まれた非発光サブフィールドの数を２以下に限定してもよい。
【０１６５】
また、本実施の形態においては、各領域における４つの画素のうち、第１の画素Ｐ１の階調の値が最小であり、第２の画素Ｐ２の階調の値が第１の画素Ｐ１の階調の値の次に大きく、第３の画素Ｐ３の階調の値が第２の画素Ｐ２の階調の値の次に大きく、第４の画素Ｐ４の階調の値が最大であるが、次フィールドにおいて、第４の画素Ｐ４の階調の値が最小であり、第３の画素Ｐ３の階調の値が第４の画素Ｐ４の階調の値の次に大きく、第１の画素Ｐ１の階調の値が第３の画素Ｐ３の階調の値の次に大きく、第２の画素Ｐ２の階調の値が最大であるように階調表示を行ってもよい。
【０１６６】
すなわち、第１〜第４の画素Ｐ１〜Ｐ４の階調の値ｐ１〜ｐ４および平均値ｐａが次式（１）および（２）の関係をフィールドごとに交互に繰り返すように発光パターンテーブルを設定してもよい。
【０１６７】
ｐ１＜ｐ２＜ｐａ＜ｐ３＜ｐ４・・・（１）
ｐ１＞ｐ２＞ｐａ＞ｐ３＞ｐ４・・・（２）
このように、フィールドごとに第１〜第４の画素Ｐ１〜Ｐ４の階調の値の大小関係が巡回するように階調表示を行うことにより、フィールドごとに第１〜第４の画素Ｐ１〜Ｐ４の階調の値の大小関係が同じである場合に発生するノイズが軽減される。
【０１６８】
さらに、本実施の形態においては、サブフィールド法により階調表示を行う表示装置の一例としてプラズマディスプレイ装置を用いているが、これに限定されるものではなく、デジタルミラーデバイス等の他の表示装置を用いてもよい。
【０１６９】
（第２の実施の形態）
以下、本発明の第２の実施の形態について説明する。図９は本発明の第２の実施の形態におけるプラズマディスプレイ装置の構成を示すブロック図である。
【０１７０】
図９に示すように、本実施の形態におけるプラズマディスプレイ装置が、第１の実施の形態におけるプラズマディスプレイ装置と異なる点は、第２の係数加算器３３０、第２のディザ値発生器３４０、選択器３５０および擬似輪郭検出器３６０をさらに備える点である。
【０１７１】
放電制御タイミング発生回路５００、Ａ／Ｄコンバータ１００、走査数変換部２００、誤差拡散装置３００、第１の係数加算器３１０、第１のディザ値発生器３２０、第２の係数加算器３３０、第２のディザ値発生器３４０、選択器３５０、擬似輪郭検出器３６０およびサブフィールド変換部４００には水平同期信号Ｈおよび垂直同期信号Ｖが与えられる。
【０１７２】
誤差拡散装置３００は、第１のディザ値発生器３２０または第２のディザ値発生器３４０から出力された誤差ｅ２，ｅ３を空間的および時間的に拡散する。
【０１７３】
誤差拡散装置３００により得られた画像データＶＶは、第１の係数加算器３１０、第１のディザ値発生器３２０、第２の係数加算器３３０、第２のディザ値発生器３４０および選択器３５０に与えられる。画像データＶＶの値は対応する画素の階調レベルを示す。
【０１７４】
第１のディザ値発生器３２０は、画像データＶＶにより表される複数の階調レベルと複数のディザ値との関係を示すディザテーブルを記憶するとともに、ディザテーブルから画像データＶＶの階調レベルに対応するディザ値を読み出して第１の係数加算器３１０に与える。ここで、ディザ値は、各階調レベルと各画素により表示される階調の値との差に相当する。
【０１７５】
第１の係数加算器３１０は、誤差拡散装置３００により与えられた画像データＶＶに、第１のディザ値発生器３２０により与えられたディザ値を加算し、加算結果を画像データＶＶ１として選択器３５０に与える。画像データＶＶ１は、各領域の４つの画素によりそれぞれ表示される階調の値を示す。
【０１７６】
第２のディザ値発生器３４０は、画像データＶＶにより表される複数の階調レベルと複数のディザ値との関係を示すディザテーブルを記憶するとともに、ディザテーブルから画像データＶＶの階調レベルに対応するディザ値を読み出して第２の係数加算器３３０に与える。
【０１７７】
第２の係数加算器３３０は、誤差拡散装置３００により与えられた画像データＶＶに、第２のディザ値発生器３４０により与えられたディザ値を加算し、加算結果を画像データＶＶ２として選択器３５０に与える。画像データＶＶ２は、各領域の４つの画素によりそれぞれ表示される階調の値を示す。
【０１７８】
擬似輪郭検出器３６０は、画像データＶＤに含まれる情報としてのサブフィールドの発光パターン、階調レベルの変化量、画像の動き早さ、画像の動く方向等から擬似輪郭ノイズの発生の度合いを検出し、この検出結果を選択器３５０に与える。本実施の形態では、擬似輪郭検出器３６０は、画像の動き量を検出する動き量検出回路により構成される。
【０１７９】
なお、擬似輪郭検出器３６０は、動き量検出回路に限定されず、擬似輪郭ノイズの発生の度合いに関係する値を検出可能な他の回路を用いてもよい。
【０１８０】
選択器３５０は、擬似輪郭検出器３６０から与えられた検出結果に基づいて、誤差拡散装置３００から与えられた画像データＶＶ、第１の係数加算器３１０から与えられた画像データＶＶ１および第２の係数加算器３３０から与えられた画像データＶＶ２のうちのいずれか一つを選択し、サブフィールド変換部４００に与える。
【０１８１】
サブフィールド変換部４００は、各領域の４つの画素によりそれぞれ表示される階調の値と複数のサブフィールドの発光パターンとの関係を示す発光パターンテーブルを記憶するとともに、この発光パターンテーブルに基づいて画像データＶＶ，ＶＶ１，ＶＶ２のうちいずれか一つを複数のサブフィールドに対応するシリアルデータＳＤに変換し、シリアルデータＳＤをデータドライバ７００に与える。
【０１８２】
第１のディザ値発生器３２０が有するディザテーブルおよびこのディザテーブルに対応するサブフィールド変換部４００が有する発光パターンテーブルは、上述した図８ａ〜図８ｅに示すディザテーブルおよび発光パターンテーブルと同様である。
【０１８３】
以下、第２のディザ値発生器３４０が有するディザテーブルおよびこのディザテーブルに対応するサブフィールド変換部４００が有する発光パターンテーブルについて説明する。
【０１８４】
図１０ａ〜図１０ｅは第２のディザ値発生器３４０が有するディザテーブルおよびサブフィールド変換部４００が有する発光パターンテーブルを示す説明図である。
【０１８５】
図１０ａから図１０ｄにおける階調レベルと第１〜第４のディザ値との関係および図１０ｅにおける階調レベルと誤差との関係は、第２のディザ値発生器３４０が有するディザテーブルに含まれる。第１のディザ値発生器３２０および第２のディザ値発生器３４０は、水平同期信号Ｈおよび垂直同期信号Ｖに基づいて画像データＶＶが第１〜第４の画素Ｐ１〜Ｐ４のいずれに対応するかを判別し、この画素に対応するディザ値を選択する。
【０１８６】
また、図１０ａ〜図１０ｄの第１〜第４の階調の値と第１〜第４の発光パターンとの関係は、サブフィールド変換部４００が有する発光パターンテーブルに含まれる。なお、図１０ａに示す階調レベルは第１の画素Ｐ１の階調レベルを示し、図１０ｂに示す階調レベルは第２の画素Ｐ２の階調レベルを示し、図１０ｃに示す階調レベルは第３の画素Ｐ３の階調レベルを示し、図１０ｄに示す階調レベルは第４の画素Ｐ４の階調レベルを示す。
【０１８７】
擬似輪郭ノイズの発生度合いが大きいことが擬似輪郭検出器３６０により検出された場合、選択器３５０により第１の係数加算器３２０の画像データＶＶ１が選択され、擬似輪郭ノイズの発生度合いが小さいことが擬似輪郭検出器３６０により検出された場合、選択器３５０により第２の係数加算器３４０の画像データＶＶ２が選択される。また、擬似輪郭ノイズが全く発生しないことが擬似輪郭検出器３６０により検出された場合、選択器３５０により誤差拡散装置３００の画像データＶＶが選択される。
【０１８８】
本実施の形態においては、第２のディザ値発生器３４０が有するディザテーブルにおける第１〜第４の発光パターンの所定のサブフィールドの発光および非発光の組み合わせパターンの一部が互いに同一である。
【０１８９】
例えば、階調レベル「２３」に対応する第１〜第４の発光パターンのサブフィールドＳＦ５〜ＳＦ２はそれぞれ「１０１０」、「１０１１」、「１０１１」および「１１０１」であり、第２および第３の発光パターンのサブフィールドＳＦ５〜ＳＦ２における発光および非発光の組み合わせパターンが同一である。
【０１９０】
それにより、擬似輪郭ノイズの軽減の効果は、第１のディザ値発生器３２０が有するディザテーブルにおける第１〜第４の発光パターンを用いた場合に比べて小さいが、ディザパターンによるノイズを軽減することが可能となる。
【０１９１】
このように、本実施の形態においては、擬似輪郭ノイズの程度に応じて画像データＶＶ、第１の係数加算器３２０から出力された画像データＶＶ１または第２の係数加算器３４０から出力された画像データＶＶ２を選択的に用いることにより、ディザパターンによるノイズを最小限に抑制しつつ、擬似輪郭ノイズを軽減することができる。
【０１９２】
本実施の形態においては、第１の係数加算器３１０、第２の係数加算器３３０、第１のディザ値発生器３２０、第２のディザ値発生器３４０、選択器３５０およびサブフィールド変換部４００が階調表示部に相当し、擬似輪郭検出器３６０が検出部に相当し、データドライバ７００、スキャンドライバ８００およびサステインドライバ９００が駆動部に相当し、誤差拡散装置３００が拡散装置に相当する。
【産業上の利用可能性】
【０１９３】
本発明は、映像信号を画像として表示する画像表示装置に利用することができる。
【図面の簡単な説明】
【０１９４】
【図１】本発明の第１の実施の形態におけるプラズマディスプレイ装置の構成を示すブロック図。
【図２】図１に示すプラズマディスプレイ装置に適用されるＡＤＳ方式を説明するための図。
【図３】ディザ値発生器のディザテーブルに基づいた各領域の４画素の複数のサブフィールドの発光パターンの一例を示す模式図。
【図４ａ】ディザ値発生器が有するディザテーブルおよびサブフィールド変換部が有する発光パターンテーブルを示す説明図。
【図４ｂ】ディザ値発生器が有するディザテーブルおよびサブフィールド変換部が有する発光パターンテーブルを示す説明図。
【図４ｃ】ディザ値発生器が有するディザテーブルおよびサブフィールド変換部が有する発光パターンテーブルを示す説明図。
【図４ｄ】ディザ値発生器が有するディザテーブルおよびサブフィールド変換部が有する発光パターンテーブルを示す説明図。
【図４ｅ】ディザ値発生器が有するディザテーブルおよびサブフィールド変換部が有する発光パターンテーブルを示す説明図。
【図５】（ａ）は、人間の視線が移動しない場合に認識される各画素の明暗を示す説明図、（ｂ）は、矢印の方向（左から右）に人間の視線が移動した場合に認識される各画素の明暗を示す説明図。
【図６】図１に示す誤差拡散装置の構成を示すブロック図。
【図７】（ａ）は、誤差の空間的な拡散を示す図、（ｂ）は誤差の時間的な拡散を示す図。
【図８ａ】ディザ値発生器が有するディザテーブルおよびサブフィールド変換部が有する発光パターンテーブルの他の例を示す説明図。
【図８ｂ】ディザ値発生器が有するディザテーブルおよびサブフィールド変換部が有する発光パターンテーブルの他の例を示す説明図。
【図８ｃ】ディザ値発生器が有するディザテーブルおよびサブフィールド変換部が有する発光パターンテーブルの他の例を示す説明図。
【図８ｄ】ディザ値発生器が有するディザテーブルおよびサブフィールド変換部が有する発光パターンテーブルの他の例を示す説明図。
【図８ｅ】ディザ値発生器が有するディザテーブルおよびサブフィールド変換部が有する発光パターンテーブルの他の例を示す説明図。
【図９】本発明の第２の実施の形態におけるプラズマディスプレイ装置の構成を示すブロック図。
【図１０ａ】第２のディザ値発生器が有するディザテーブルおよびサブフィールド変換部が有する発光パターンテーブルを示す説明図。
【図１０ｂ】第２のディザ値発生器が有するディザテーブルおよびサブフィールド変換部が有する発光パターンテーブルを示す説明図。
【図１０ｃ】第２のディザ値発生器が有するディザテーブルおよびサブフィールド変換部が有する発光パターンテーブルを示す説明図。
【図１０ｄ】第２のディザ値発生器が有するディザテーブルおよびサブフィールド変換部が有する発光パターンテーブルを示す説明図。
【図１０ｅ】第２のディザ値発生器が有するディザテーブルおよびサブフィールド変換部が有する発光パターンテーブルを示す説明図。
【図１１】人間の視線が異なる画素上を移動するときに視認される擬似輪郭ノイズを説明するための模式図。
【符号の説明】
【０１９５】
３００  誤差拡散装置
３１０  第１の係数加算器
３２０  第１のディザ値発生器
３３０  第２の係数加算器
３４０  第２のディザ値発生器
３５０  選択器
３６０  擬似輪郭検出器
４００  サブフィールド変換部
６００  ＰＤＰ
７００  データドライバ
８００  スキャンドライバ
９００  サステインドライバ
Ｐ１，Ｐ２，Ｐ３，Ｐ４  画素
Ｒ１，Ｒ２，Ｒ３，Ｒ４  領域
【図１】
2004233980.tif 000003
【図２】
2004233980.tif 000004
【図３】
2004233980.tif 000005
【図４ａ】
2004233980.tif 000006
【図４ｂ】
2004233980.tif 000007
【図４ｃ】
2004233980.tif 000008
【図４ｄ】
2004233980.tif 000009
【図４ｅ】
2004233980.tif 000010
【図５】
2004233980.tif 000011
【図６】
2004233980.tif 000012
【図７】
2004233980.tif 000013
【図８ａ】
2004233980.tif 000014
【図８ｂ】
2004233980.tif 000015
【図８ｃ】
2004233980.tif 000016
【図８ｄ】
2004233980.tif 000017
【図８ｅ】
2004233980.tif 000018
【図９】
2004233980.tif 000019
【図１０ａ】
2004233980.tif 000020
【図１０ｂ】
2004233980.tif 000021
【図１０ｃ】
2004233980.tif 000022
【図１０ｄ】
2004233980.tif 000023
【図１０ｅ】
2004233980.tif 000024
【図１１】
2004233980.tif 000025